(57)【特許請求の範囲】
【請求項１】
電波を放射したり捕捉したりするアンテナと、
前記アンテナに接続されている同軸ケーブルと、
無線信号を通信処理する通信機と、
前記通信機を実装している回路基板と、
乗員が操作する操作手段とを備え、
前記アンテナを車室の屋根に取付可能であると共に、前記通信機を車室の天井の近傍にあって前記アンテナの直下となる箇所に前記操作手段と一体化して取付可能に構成し、前記アンテナの直下となる箇所で前記同軸ケーブルの先端部に配設されているコネクタが前記回路基板に配設されているコネクタに装着されることによって前記アンテナと前記通信機とが電気的に接続されることを特徴とする車載通信システム。
【請求項２】
請求項１に記載した車載通信システムにおいて、
音声を入力する音声入力手段を備え、
前記音声入力手段を前記通信機および前記操作手段と一体化して運転席の上方に取付可能に構成したことを特徴とする車載通信システム。
【請求項３】
請求項１または２に記載した車載通信システムにおいて、
音声を出力する音声出力手段を備え、
前記音声出力手段を前記通信機および前記操作手段と一体化して運転席の上方に取付可能に構成したことを特徴とする車載通信システム。
【発明の詳細な説明】
【０００１】
【発明の属する技術分野】
本発明は、自動車に搭載される車載通信システムに関する。
【０００２】
【発明が解決しようとする課題】
自動車に搭載される従来の車載通信システムは、例えば、電波を放射したり捕捉したりするアンテナが車室の屋根やトランクなどに取付けられ、音声信号を通信処理する通信機がトランクルーム内に取付けられ、乗員が操作する操作パネルがインストルメントパネル（インパネ）に取付けられるというように、各機器が点在して取付けられ、それらの機器同士が同軸ケーブルを介して接続される構成となっていた。
【０００３】
しかしながら、このようにアンテナが車室の屋根やトランクなどに取付けられると共に、通信機がトランクルーム内に取付けられる構成では、両者を接続するための同軸ケーブルのケーブル長が大きくなるので、ケーブル長ロスの悪影響により受信感度が低下し、フェージング特性が低下するという問題があった。
【０００４】
また、通信機がトランクルーム内に取付けられると共に、操作パネルがインパネに取付けられる構成では、それら通信機と操作パネルとを別々に取付けなければならないので、それら通信機や操作パネルを取付けるときの作業性に劣るという問題があった。
【０００５】
本発明は、上記した事情に鑑みてなされたものであり、その目的は、フェージング特性が低下することを未然に回避することができ、また、通信機や操作手段を取付けるときの作業性を高めることができる車載通信システムを提供することにある。
【０００６】
【課題を解決するための手段】
請求項１に記載した車載通信システムによれば、電波を放射したり捕捉したりするアンテナを、車室の屋根に取付可能であると共に、無線信号を通信処理する通信機を、車室の天井の近傍にあってアンテナの直下となる箇所に取付可能に構成し、アンテナの直下となる箇所で同軸ケーブルの先端部に配設されているコネクタが回路基板に配設されているコネクタに装着されることによってアンテナと通信機とが電気的に接続されるようにしたので、両者を接続するための同軸ケーブルのケーブル長が従来のものよりも小さくて済み、ケーブル長ロスの悪影響により受信感度が低下することを未然に回避することができ、フェージング特性が低下することを未然に回避することができる。また、通信機を、乗員が操作する操作手段と一体化して取付可能に構成したので、それら通信機と操作手段とを別々に取付けなくても良く、それら通信機と操作手段とを同時に取付けることができ、通信機や操作手段を取付けるときの作業性を高めることができる。
【０００７】
請求項２に記載した車載通信システムによれば、音声を入力する音声入力手段を、通信機および操作手段と一体化して運転席の上方に取付可能に構成したので、音声入力手段を通信機や操作手段と同時に取付けることができ、音声入力手段を取付けるときの作業性をも高めることができる。また、運転手が通話する場合に、運転手から発せられた音声を適切に集音することができ、さらに、後部座席に座っている乗員が通話する場合にも、後部座席に座っている乗員から発せられた音声が運転席や助手席のシートに遮られることがなく、後部座席に座っている乗員から発せられた音声を適切に集音することができる。
【０００８】
請求項３に記載した車載通信システムによれば、音声を出力する音声出力手段を、通信機および操作手段と一体化して運転席の上方に取付可能に構成したので、音声出力手段を通信機や操作手段と同時に取付けることができ、音声出力手段を取付けるときの作業性をも高めることができる。また、運転手が通話する場合に、音声を運転手に適切に聞取らせることができ、さらに、後部座席に座っている乗員が通話する場合にも、音声出力手段から出力された音声が運転席や助手席のシートに遮られることがなく、音声を後部座席に座っている乗員に適切に聞取らせることができる。
【０００９】
【発明の実施の形態】
（第１実施例）
以下、本発明の第１実施例について、図１ないし図３を参照して説明する。
まず、図２は、車載通信システムが自動車に取付けられた態様を概略的に示している。車載通信システム１は、電波を放射したり捕捉したりするアンテナ２、音声信号（本発明でいう無線信号）を通信処理する通信機３、乗員が操作する操作パネル４（本発明でいう操作手段）、音声を入力するマイクロホン５（本発明でいう音声入力手段）および音声を出力するスピーカ６を備えて構成されている。アンテナ２は、車室７の屋根７ａの前方側に、運転席と助手席との中間地点の上方となる位置に取付けられている。
【００１０】
通信機３、操作パネル４およびマイクロホン５は、車室７の天井７ｂの近傍に一体化されて取付けられており、そのうちの通信機３は、アンテナ２の直下となる箇所に取付けられている。スピーカ６は、車室７の所定箇所に、通信機３、操作パネル４およびマイクロホン５とは別体に取付けられている。この場合、スピーカ６は、単独で用意されるものであっても良いし、例えばオーディオ機器のスピーカやカーナビゲーション装置のスピーカから構成されるものであっても良い。
【００１１】
図１は、車載通信システム１の一部を断面図として示している。アンテナ２は、例えば樹脂を材料とするアンテナケースの内部に棒状の導体が収納されて構成されており、アンテナケースからは導体に電気的に接続されている同軸ケーブル８が引出されている。通信機３は、第１の回路基板９に実装されており、同軸ケーブル８の先端部に配設されているコネクタ１０が第１の回路基板９に配設されているコネクタ１１に装着されていることによって、アンテナ２と通信機３とが電気的に接続されている。
【００１２】
第２の回路基板１２には、制御回路１３が実装されていると共に、車室７内を照明するためのランプ１４が実装されている。そして、カバーケース１５は、これら通信機３、マイクロホン５および制御回路１３などを覆う格好でねじ１６によってボデー１７（車室７の天井７ｂ）にねじ止めされて固定されている。
【００１３】
操作パネル４は、運転席に座っている乗員や助手席に座っている乗員が座ったままの状態で操作可能となる位置に、カバーケース１５に一体的に配設されている。操作パネル４には、通話モードを切替えるためのキー（ボタン）、メーデーシステムを発動させるためのキーおよび照明用のランプ１４をオンオフさせるためのキーなどの各種のキーが配列されている。また、操作パネル４には、スリットが形成されており、乗員から発せられた音声は、スリットを通じてマイクロホン５に入力（集音）されるようになっている。また、制御回路１３は、バッテリ（図示せず)から電源系のケーブル（図示せず）を通じて動作電力が供給されることによって動作するようになっている。
【００１４】
図３は、上記した車載通信システムの電気的な構成を機能ブロック図として示している。制御回路１３は、ＣＰＵ（Central Processing Unit）やＲＯＭ（Read Only Memory）を主体として構成され、ＣＰＵがＲＯＭから読出された制御プログラムを実行することによって、動作全般を制御する。アンテナ２は、電波を捕捉すると、捕捉された電波を音声信号として通信機３に出力し、通信機３は、アンテナ２から音声信号を入力すると、入力された音声信号を通信処理（復調処理やＤ／Ａ変換など）してスピーカ６に出力する。
【００１５】
また、通信機３は、マイクロホン５から音声信号を入力すると、入力された音声信号を通信処理（Ａ／Ｄ変換や変調処理など）し、通信処理された音声信号をアンテナ２に出力し、アンテナ２は、通信機３から音声信号を入力すると、入力された音声信号を電波として放射する。また、操作パネル４は、いずれかのキーが操作されると、操作されたキーを表すキー信号を制御回路１３に出力する。
【００１６】
次に、上記した車載通信システム１を取付ける手順について説明する。まず、作業者は、アンテナ２を車室７の屋根７ａに取付ける。次いで、作業者は、カバーケース１５内に通信機３、マイクロホン５および制御回路１３などを収納した状態で、カバーケース１５を車室７の天井７ｂに近づけ、アンテナ２側のコネクタ１０を第１の回路基板９側のコネクタ１１に装着する。そして、作業者は、カバーケース１５をねじ１６によってボデー１７にねじ止めして固定する。作業者は、このような一連の手順を行うことによって、車載通信システム１を自動車に取付けることが可能となる。
【００１７】
以上に説明したように第１実施例によれば、車載通信システム１において、アンテナ２を、車室７の屋根７ａに取付けると共に、通信機３を、車室７の天井７ｂの近傍にあってアンテナ２の直下となる箇所に取付けるように構成したので、両者を接続するための同軸ケーブル８のケーブル長が従来のものよりも小さくて済み、ケーブル長ロスの悪影響により受信感度が低下することを未然に回避することができ、フェージング特性が低下することを未然に回避することができる。
【００１８】
また、乗員が操作する操作パネル４を、通信機３と一体化して運転席の上方に取付けるように構成したので、それら通信機３と操作パネル４とを別々に取付けなくても良く、それら通信機３と操作パネル４とを同時に取付けることができ、通信機３や操作パネル４を取付けるときの作業性を高めることができる。
【００１９】
また、この場合は、音声を入力するマイクロホン５を、通信機３や操作パネル４と一体化して運転席の上方に取付けるように構成したので、マイクロホン５を通信機３や操作パネル４と同時に取付けることができ、マイクロホン５を取付けるときの作業性をも高めることができる。また、運転手が通話する場合に、運転手から発せられた音声を適切に集音することができ、さらに、後部座席に座っている乗員が通話する場合にも、後部座席に座っている乗員から発せられた音声が運転席や助手席のシートに遮られることがなく、後部座席に座っている乗員から発せられた音声を適切に集音することができる。
【００２０】
（第２実施例）
次に、本発明の第２実施例について、図４を参照して説明する。尚、上記した第１実施例と同一部位については同一符号を付して説明を省略し、以下、異なる部分について説明する。
【００２１】
上記した第１実施例は、スピーカ６が通信機３、操作パネル４およびマイクロホン５とは別体に取付けられているように構成したものであるが、これに対して、この第２実施例は、スピーカが通信機３、操作パネル４およびマイクロホン５と一体化されて取付けられているように構成したものである。
【００２２】
すなわち、図４に示すように、車載通信システム２１において、スピーカ２２（本発明でいう音声出力手段）は、車室７の天井７ｂの近傍にあって通信機３、操作パネル４およびマイクロホン５と一体化されて取付けられている。そして、この場合、スピーカ２２から出力された音声は、操作パネル２３（本発明でいう操作手段）に形成されているスリットを通じて外部に出力されるようになっている。
【００２３】
以上に説明したように第２実施例によれば、車載通信システム２１において、音声を出力するスピーカ２２を、通信機３や操作パネル４やマイクロホン５と一体化して運転席の上方に取付けるように構成したので、スピーカ２２を通信機３や操作パネル４やマイクロホン５と同時に取付けることができ、スピーカ２２を取付けるときの作業性をも高めることができる。また、運転手が通話する場合に、音声を運転手に適切に聞取らせることができ、さらに、後部座席に座っている乗員が通話する場合にも、スピーカ２２から出力された音声が運転席や助手席のシートに遮られることがなく、音声を後部座席に座っている乗員に適切に聞取らせることができる。
【００２４】
（その他の実施例）
本発明は、上記した実施例にのみ限定されるものではなく、以下のように変形または拡張することができる。
マイクロホンを、通信機や操作パネルと一体化して配設する構成に限らず、例えばインパネに配設するなど、通信機や操作パネルとは別体に配設する構成であっても良い。
通信機が音声信号を通信処理する構成に限らず、データ信号を通信処理する構成であっても良い。
【図面の簡単な説明】
【図１】本発明の第１実施例を示すもので、車載通信システムの一部を示す断面図
【図２】自動車に取付けられた態様を概略的に示す図
【図３】電気的な構成を示す機能ブロック図
【図４】本発明の第２実施例を示すもので、車載通信システムの一部を示す断面図
【符号の説明】
図面中、１は車載通信システム、２はアンテナ、３は通信機、４は操作パネル（操作手段）、５はマイクロホン（音声入力手段）、７は車室、７ａは屋根、７ｂは天井、９は第１の回路基板（回路基板）、１０，１１はコネクタ、２１は車載通信システム、２２はスピーカ（音声出力手段）、２３は操作パネル（操作手段）である。
【図１】
0004066689.tif 000002
【図２】
0004066689.tif 000003
【図３】
0004066689.tif 000004
【図４】
0004066689.tif 000005